(57)【要約】【課題】被塗装物を挟持して安定した塗装及び乾燥作業が可能で安価で丈夫な塗装用保持具を提供することである。【解決手段】被塗装物を挟持可能な一対の挟持部３ａ，３ｂと，この一対の挟持部３ａ，３ｂにそれぞれ延設される一対のレバー部４ａ，４ｂと，この一対のレバー部４ａ，４ｂに付勢する弾性部材を備えて連結する支軸部５とを具備するクリップ部２と、一対のレバー部４ａ，４ｂのうちの一のレバー部４ｂの端部に接続される棒状の支持部６と、を備える塗装用保持具１であって、支持部６の端部は支持部６に対して垂直な突起部７を備え、この突起部７が一のレバー部４ｂの端部に形成される孔部に掛止して固定されるものである。【選択図】図１
0003173978.tif 000002
【実用新案登録請求の範囲】
【請求項１】
被塗装物を挟持可能な一対の挟持部と，この一対の挟持部にそれぞれ延設される一対のレバー部と，この一対のレバー部に付勢する弾性部材を備えて連結する支軸部とを具備するクリップ部と、前記一対のレバー部のうちの一のレバー部の端部に接続される棒状の支持部と、を備える塗装用保持具であって、前記支持部の端部は前記支持部に対して垂直な突起部を備え、この突起部が前記一のレバー部の端部に形成される孔部に掛止して固定されることを特徴とする塗装用保持具。
【請求項２】
前記支持部は、金属で形成されることを特徴とする請求項１に記載の塗装用保持具。
【請求項３】
前記一のレバー部と前記支持部の接続部分は、熱収縮チューブからなる保護カバーで被覆されることを特徴とする請求項１又は請求項２に記載の塗装用保持具。
【考案の詳細な説明】
【技術分野】
【０００１】
本考案は、模型玩具の部品などを塗装する際に部品を挟持して保持する塗装用保持具に関する。
【背景技術】
【０００２】
一般に、各種の模型玩具の製作においては、部品を塗装することが多く、塗装に際しては、部品を手やピンセットで挟持して保持し、ニスや塗料を塗布したり噴霧したりする。しかしながら、これらの部品は小さい場合が多く、また、形状も複雑であり、挟持状態を保持することが困難であるとともに、手で把持した場合は手に塗料が付着して汚れたりするという不具合があった。このような塗装時の不具合を解決するために、製作者は市販のクリップなどを利用してより簡便に製作できるように工夫を凝らしていた。また、特に複雑な部品の挟持状態を保持するための用具も考えられている。
【０００３】
例えば、特許文献１には、「塗装用ホルダ」という名称で、柄杵部を備えて被塗装物を支持し手を汚さないで塗装ができ、また、如何なる形状の被塗装物も確実に挟持可能な塗装用ホルダに関する考案が開示されている。
この特許文献１に開示された考案は、軸支部を中心にして前端側所要長を挟持部、後端側所要長を拡開操作部に形成されるクリップ半体を軸支部の組合せ対応面を連接して二体合わせてなるクリップ部と、先端に一体に形成される二又バネ環を備える柄杵部を有し、二又バネ環は連接する先端面を拡開してバネ圧を作用させた状態でクリップ部の挟持部の外面に設置される凹陥バネセット部に二又バネ環の先端面をそれぞれ嵌入してクリップ部と柄杵部を接続するものである。
したがって、この塗装用ホルダは、クリップ部に柄杵部が接続されているので、被塗装物をクリップ部で挟持すると、使用者は、直接手で掴む必要がなく、また、柄杵部によって被塗装物から離して支持することができるので、塗料で手を汚すことがなく塗装作業を行うことができる。また、クリップ部の挟持面は多区面に区画されたり、外縁回りは細幅でその内側が凹部形状に形成されたり、長手方向の中心に溝形状を備えていたりするので、被塗装物の形状や大きさによらず、確実に挟持することが可能になっている。
【０００４】
【特許文献１】実登第３１１９１１４号公報
【考案の概要】
【考案が解決しようとする課題】
【０００５】
しかしながら、上述の従来技術である特許文献１に開示された考案は、クリップ部の挟持面の形状を工夫して挟持状態の安定化を図っているが、形状が大きく重く複雑であるので、小型の部品を挟持することが困難であると同時に製造に要するコストが高くなり、高価になるという課題があった。また、クリップ部が大きく不安定であることもあって、このクリップ部の柄杵部への固定は強固なものとなり、この点でも製造が難しくコストも必要とされていた。さらに、クリップ部が大きく重いことから、被塗装物を把持した後に柄杵部を立てて保持し、被塗装部に塗られた塗料を乾燥させる用途については何ら開示されていなかった。
【０００６】
本考案はかかる従来の事情に対処してなされたものであり、小さな被塗装物であってもこれを挟持して安定した塗装及び乾燥作業が可能で安価で丈夫な塗装用保持具を提供することを目的とする。
【課題を解決するための手段】
【０００７】
上記目的を達成するため、請求項１記載の考案である塗装用保持具は、被塗装物を挟持可能な一対の挟持部と，この一対の挟持部にそれぞれ延設される一対のレバー部と，この一対のレバー部に付勢する弾性部材を備えて連結する支軸部とを具備するクリップ部と、一対のレバー部のうちの一のレバー部の端部に接続される棒状の支持部と、を備える塗装用保持具であって、支持部の端部は支持部に対して垂直な突起部を備え、この突起部が一のレバー部の端部に形成される孔部に掛止して固定されるものである。
このような構成の塗装用保持具によれば、一対のレバー部を押圧すると支軸部を支点として一対の挟持部が開き、一対のレバー部の押圧を解除すると弾性部材の付勢力によって開いた一対の挟持部が閉じられるように作用する。また、棒状の支持部はクリップ部を支持して被挟持物からの距離を隔てるように作用する。そして、支持部の端部の突起部は一のレバー部の端部に形成される孔部に掛止して移動が阻止されるように作用する。
【０００８】
また、請求項２記載の考案は、請求項１記載の塗装用保持具において、支持部は、金属で形成されるものである。
このような構成の塗装用保持具においては、請求項１に記載の考案の作用に加えて、金属の支持部は高強度で耐久性を備えるという作用を有する。また、プラスチックや竹串等に比較して耐溶剤性や耐熱性が高く、溶剤を含む塗料を何度も使用したり、乾燥機やドライブースといった乾燥機を用いて部品を完成する際にも支持部が折れたり壊れたりして部品を落下させないように作用する。
【０００９】
そして、請求項３記載の考案は、請求項１又は請求項２に記載の塗装用保持具において、一のレバー部と支持部の接続部分は、熱収縮チューブからなる保護カバーで被覆されるものである。
このような構成の塗装用保持具においては、請求項１又は請求項２に記載の考案の作用に加えて、一のレバー部と支持部の接続部分は保護カバーで被覆されて外部から遮断されるように作用する。
【考案の効果】
【００１０】
以上説明したように、本考案の請求項１に記載の塗装用保持具においては、使用者は、一対の挟持体に被塗装物を挟持して、棒状の支持部を把持すると、把持する手は被塗装物から離すことができるので、被塗装物の塗装作業において塗料が付着して汚れることがなく、簡単且つ快適に塗装作業を行うことができる。また、塗装後は、支持部を立てて被塗装物を保持すると、塗装した被塗装物の塗料が他のものに接触して剥離したり、表面形状が崩れたりするような不具合がなく、塗装後の乾燥を完璧に行うことができる。また、クリップ部と支持部の接続が確実であるので、クリップ部が支持部から離脱することなく、安定した塗装作業や乾燥作業を行うことが可能である。さらに、支持部の端部の突起部が一のレバー部の端部に形成される孔部に掛止されているので、一のレバー部が支持部に対して簡単かつ強固に固定可能である。従って、コストを低く抑えることが可能であり、価格も安くすることができる。
【００１１】
また、本考案の請求項２に記載の塗装用保持具においては、請求項１に記載の考案の効果に加えて、支持部が金属で形成されており、熱に強く、破損しにくく、また、塗料に対する耐性も高いので、繰り返し使用することが可能で、使用寿命を長くすることができる。また、乾燥機や塗装ブースなどで乾燥させる際も部品脱落のリスクを低くすることが可能である。
【００１２】
そして、本考案の請求項３に記載の塗装用保持具においては、請求項１又は請求項２に記載の考案の効果に加えて、支持部とレバー部との接続部分が保護カバーで被覆されているので、接続部分によって作業者がけがをすることがなく安全であると同時に、接続部分が破損しにくく、破損による接続部分の脱離を防止することができる。従って、耐久性を向上させることができ、コストも低減可能である。
【図面の簡単な説明】
【００１３】
【図１】本考案の実施の形態に係る塗装用保持具の外形図である。
【図２】図１中の符号Ａで囲まれた部分の拡大図である。
【図３】本考案の実施の形態に係る塗装用保持具のクリップと支持棒の接続部分を示す概念図である。
【図４】（ａ）は本考案の実施の形態に係る塗装用保持具のクリップと支持棒の接続部分の上面図であり、（ｂ）は同じく塗装用保持具のクリップと支持棒の接続部分の下面図である。
【考案を実施するための形態】
【００１４】
以下に、本考案に係る塗装用保持具の実施の形態を図１乃至図４を参照しながら説明する。
図１は、本考案の実施の形態に係る塗装用保持具の外形図である。
図１において、塗装用保持具１は、主に、被塗装物を挟持するクリップ２と、このクリップ２に接続される支持棒６から構成される。
クリップ２は、一対の挟持体３ａ，３ｂ、一対のレバー４ａ，４ｂ、ピン５及び図示していないが内部にバネを備えており、一対のレバー４ａ，４ｂを押圧すると、ピン５を支点として、一対の挟持体３ａ，３ｂに力が作用して閉じている一対の挟持体３ａ，３ｂが開き、そして、押圧を解除するとバネの付勢力によって開いた一対の挟持体３ａ，３ｂが閉じるので、挟持体３ａと挟持体３ｂの間に被塗装物を挟み込むことができる。本実施の形態では、クリップ２は幅を約５ｍｍ、長さを約３ｃｍに形成しており、小さな被塗装物の挟持に適しているが、クリップ２の大きさは特に限定されるものではなく、被塗装物の大きさに合わせて設計するとよい。また、このクリップ２を構成する材料は特に限定されないが、例えば、鉄などの金属を用いると、後述する金属製の支持棒６と同様に高強度で耐久性を具備したものとなる。
また、支持棒６は、鉄やステンレス鋼などの金属で形成された長細い棒形状であり、端部に突起７を備えている。なお、支持棒６の端部とは略端部を含む概念である。そして、突起７は、支持棒６に対して垂直に形成されており、図示していないが、レバー４ｂに形成される掛止孔に掛止して固定されている。なお、支持棒６に対して垂直な突起７は、略垂直な突起を含む概念である。また、本実施の形態では支持棒６の長さは約１２ｃｍであり、先のクリップ２と合わせると、塗装用保持具１の全長は約１５ｃｍとなる。塗装用保持具１の長さは、特に限定されないが、支持棒６の長さを調整することによって変更することができ、簡単に使用環境に適応させることができる。
そして、符号８は保護カバーであり、クリップ２と支持棒６の接続部分を被覆して、接続部分が外部と接触しないように保護し、クリップ２と支持棒６との離脱を防止している。また、この保護カバー８を施すことで、塗装用保持具１を用いる塗装作業者の指先等を怪我から保護することも可能である。さらに、この保護カバー８は、安価で装着が簡単な熱収縮チューブで形成されており、装着においては、クリップ２と支持棒６を接続したのちに、接続部分に収縮前の筒状の熱収縮チューブを挿通して配置し、加熱するだけで接続部分に密着して固定することができる。すなわち、この熱収縮チューブによって突起７をレバー４ｂに形成される掛止孔に密着固定させることが容易に可能である。
【００１５】
したがって、塗装用保持具１では、被塗装物を一対の挟持体３ａ，３ｂに挟持して支持棒６の端部を手で支持すると、支持する手は被塗装物から離れた位置にあるので、手を汚すことなく、簡単に塗装作業を行うことができる。また、支持棒６の端部を発泡スチロールや粘土などに突き刺して立てておくことが可能であり、立てて保持すると、塗装された被塗装物の塗料を他との接触を避けて簡単且つ確実に乾燥することができる。
また、支持棒６は金属製であるので、強度が高く、手で支持する場合でも立てて保持する場合でも安定して使用することができる。そして、塗料に含まれる有機溶剤に対しても耐性があり、使用時において損傷が少なく、繰り返して使用することが可能である。また、プラスチック製や竹串製等の支持棒と比較して耐熱性が高く、耐溶剤性の高さとも相まって、塗装ブースやドライブース等の乾燥機を用いて部品を完成する際にも支持部が壊れることなく、部品を落下させてしまうリスクも低く安全性が高い。
【００１６】
次に、クリップについて図２を参照しながら説明する。
図２は、図１中の符号Ａで囲まれた部分の拡大図である。
図２において、クリップ２は、被塗装物を挟持可能な一対の挟持体３ａ，３ｂと、この一対の挟持体３ａ，３ｂのそれぞれ延設される一対のレバー４ａ，４ｂと、ピン５と、一部を図示しているがバネ９を備えている。
一対の挟持体３ａ，３ｂのうちの一の挟持体３ａの側面には歯１０ａが形成され、同じく、他の挟持体３ｂの側面には歯１０ｂが形成されており、これらの歯１０ａと歯１０ｂは互いに噛合して被塗装物を確実に挟持することができるようになっている。また、図示していないが、一の挟持体３ａの他方の側面にも歯１０ａと同様の歯が形成され、同じく、他の挟持体３ｂの他方の側面にも歯１０ｂと同様の歯が形成され、歯１０ａと歯１０ｂの噛合と同様に噛合する構造であり、一対の挟持体３ａ，３ｂでは２か所で歯が噛合して被塗装物の挟持をより確実なものにしている。
また、一対のレバー４ａ，４ｂのうちの一のレバー４ａは端部が幅広に形成されており、押圧する指にかかる力を分散して押圧しやすい形状に形成されている。そして、一のレバー４ａの側面には、他のレバー４ｂとピン５で連結するための半円状の連結板１１ａが形成されている。
一方、他のレバー４ｂにおいても側面に半円状の連結板１１ｂが形成されており、連結板１１ｂの内側に連結板１１ａが接するように配置されてそれぞれに穿設される孔にピン５が貫通している。なお、図示していないが、一対のレバー４ａ，４ｂの他方の側面にも同様に孔が穿設された連結板がそれぞれ形成されており、ピン５は、一対のレバー４ａ，４ｂの両側面にそれぞれ形成される４枚の連結板の孔を貫通して、一のレバー４ａと他のレバー４ｂを連結している。
また、他のレバー４ｂの端部には、支持棒６と接続するための接続部１２が形成されている。この他のレバー４ｂの幅は支持棒６の径と略同一であり、接続部１２も同様である。すなわち、クリップ２の幅が支持棒６の径と略同一となり、大きさを極力小さくし、小さな部品もクリップ２で挟持可能としている。この小型化によって軽量化も可能となり、支持棒６と他のレバー４ｂの接続が簡易な構造で強固となり、さらに熱収縮チューブからなる保護カバー８で被覆することでより強固となり、安価で耐久性に優れた塗装用保持具１を提供することができるのである。
なお、他のレバー部４ｂの端部は、略端部を含む概念である。他のレバー４ｂと支持棒６との接続構造については後述するが、接続部１２には、支持棒６を固定するための掛止孔１３ａと凸部１４が形成されており、支持棒６には突起７が形成されている。
【００１７】
続いて、クリップと支持棒の接続方法について、図３及び図４を参照しながら説明する。
図３は、本考案の実施の形態に係る塗装用保持具のクリップと支持棒の接続部分を示す概念図である。
図３において、クリップ２の接続部１２には、折曲部１５ａ，１５ｂが形成されており、支持棒６の一部の周部に左右方向から巻き付くように折り曲げられて、支持棒６の横方向の移動を抑止している。また、支持棒６の突起７は、接続部１２に形成される掛止孔１３ａに対向して形成される掛止孔（図４（ａ）に図示される符号１３ｂ参照）にその一部が掛止され、そして、突起７の上面は、掛止孔１３ａと対向する掛止孔との間に形成される凸部１４に当接して、上下方向の移動が抑止されている。
【００１８】
また、図４（ａ）は、本考案の実施の形態に係る塗装用保持具のクリップと支持棒の接続部分の上面図であり、（ｂ）は同じく塗装用保持具のクリップと支持棒の接続部分の下面図である。
図４（ａ）及び（ｂ）において、クリップ２の接続部１２には、上側が弧になる半円状の掛止孔１３ａと、下側が弧になる半円状の掛止孔１３ｂと、これらの掛止孔１３ａと掛止孔１３ｂの間に、レバー４ａ側に凸形状となる凸部１４が形成されており、支持棒６の突起７の一部が掛止孔１３ｂに掛止され、且つ突起７の上面が凸部１４に当接している。また、折曲部１５ａ，１５ｂは、支持棒６の左右方向から巻き付いており、支持棒６は接続部１２において、凸部１４によって上下方向の移動を抑止され、折曲部１５ａ，１５ｂによって左右方向の移動が抑止され確実に固定されている。
また、クリップ２の内部の構造を点線で示しているが、ピン５は、連結板１１ｂ，１１ｂを貫通しており、ピン５の軸１６にはらせん状に形成されるバネ９が周設されている。バネ９のバネ端部１７ａはレバー４ａの内側に当接し、他方のバネ端部１７ｂはレバー４ｂの内側に当接している。従って、一対のレバー４ａ，４ｂを押圧すると、離れているバネ端部１７ａとバネ端部１７ｂが近づいてバネ９に付勢力が付され、一対の挟持体３ａ，３ｂが開く。この押圧を解除すると、バネ端部１７ａ及びバネ端部１７ｂが元の位置に戻ろうとする付勢力によって一対の挟持体３ａ，３ｂが閉じるように動く仕組みになっている。
【００１９】
このように形成された本実施の形態においては、被塗装物を一対の挟持体に挟持させて、支持棒を把持すると、使用者は手を汚すことなく簡単に塗装作業を行うことができる。また、支持棒を立てて保持することも可能であるので、塗料の乾燥を簡単に行うこともできる。そして、塗装用保持具はクリップと支持棒の接続が確実であり、さらに保護カバーによって保護されているので、クリップと支持棒が離脱するような損傷はなく、塗装作業者に安全であり、加えて支持棒が金属製であるので高強度で耐久性のあるものとなる。さらに、塗装用保持具は、簡素な構成であり、製造も簡単であるので、低価格での製造を実現することができる。
【産業上の利用可能性】
【００２０】
以上説明したように、請求項１乃至請求項３に記載された本考案は、各種模型の部品を挟持して塗装及び乾燥を簡便に行える塗装用保持具を安価で提供可能であり、一般家庭や模型の製造工場などにおいて利用可能である。
【符号の説明】
【００２１】
１…塗装用保持具  ２…クリップ  ３ａ，３ｂ…挟持体  ４ａ，４ｂ…レバー  ５…ピン  ６…支持棒  ７…突起  ８…保護カバー  ９…バネ  １０ａ，１０ｂ…歯  １１ａ，１１ｂ…連結板  １２…接続部  １３ａ，１３ｂ…掛止孔  １４…凸部  １５ａ，１５ｂ…折曲部  １６…軸  １７ａ，１７ｂ…バネ端部
【図１】
0003173978.tif 000003
【図２】
0003173978.tif 000004
【図３】
0003173978.tif 000005
【図４】
0003173978.tif 000006